(57)【要約】【課題】住宅の玄関脇に設置して使用するインターホンユニットにおいて、来訪時の防犯性を高める。【解決手段】インターホンカバー７が本体２に設けられたインターホンユニット１であって、凸面鏡部材９ｃを備えた防犯ミラー９が本体２に設けられている。これにより、来訪者が自分の背後に不審者が居るか否かを防犯ミラー９で容易に視認できることから、来訪者および居住者の身の安全を確保するとともに、家財の強奪を防止することができる。【選択図】図１
2010062786.tif 000002
【特許請求の範囲】
【請求項１】
本体にインターホンカバーが設けられたインターホンユニットであって、
凸面鏡部材を備えた防犯ミラーが前記本体に設けられていることを特徴とするインターホンユニット。
【請求項２】
前記凸面鏡部材は、正面視で横長矩形状であることを特徴とする請求項１に記載のインターホンユニット。
【請求項３】
前記凸面鏡部材は、正面視で円形状であることを特徴とする請求項１に記載のインターホンユニット。
【請求項４】
前記防犯ミラーは、前記本体の上方に位置していることを特徴とする請求項１乃至３のいずれかに記載のインターホンユニット。
【請求項５】
前記本体には、新聞受けが設けられていることを特徴とする請求項１乃至４のいずれかに記載のインターホンユニット。
【請求項６】
前記本体には、化粧カバーが当該本体から離隔して前記新聞受けを形成する形で設けられていることを特徴とする請求項５に記載のインターホンユニット。
【請求項７】
前記本体には、ペットを一時つなぎ止めるためのリードフックが設けられていることを特徴とする請求項１乃至６のいずれかに記載のインターホンユニット。
【請求項８】
前記本体には、警報装置が設けられていることを特徴とする請求項１乃至７のいずれかに記載のインターホンユニット。
【発明の詳細な説明】
【技術分野】
【０００１】
本発明は、戸建て住宅や集合住宅の玄関脇に設置して使用するに好適なインターホンユニットに関するものである。
【背景技術】
【０００２】
従来、この種のインターホンユニットとしては、監視、防犯、来客対応を目的としてカメラを組み込んだものが提案されていた（例えば、特許文献１参照）。
【特許文献１】特開２００５−２３６６７１号公報（段落〔０００１〕の欄）
【発明の開示】
【発明が解決しようとする課題】
【０００３】
しかしながら、これでは、カメラ機能を使って居住者が来訪者を視認できるにとどまり、来訪者が自分の背後の様子を知ることはできない。そのため、例えば、居住者が来訪者を確認して玄関ドアを解錠したところで、来訪者の背後に居る不審者が、来訪者を襲って気絶させてから住居内に不法侵入し、居住者を襲ったり、家財を強奪したりするという犯罪が起こりうる危険性があった。犯罪がますます多様化・巧妙化する現代においては、こうした犯罪の発生を未然に防ぐことが社会的に強く要望されている。
【０００４】
本発明は、このような事情に鑑み、来訪者および居住者の身の安全を確保するとともに、家財の強奪を防止することが可能な防犯性の高いインターホンユニットを提供することを目的とする。
【課題を解決するための手段】
【０００５】
かかる目的を達成するために、請求項１に記載の発明は、本体にインターホンカバーが設けられたインターホンユニットであって、凸面鏡部材を備えた防犯ミラーが前記本体に設けられているインターホンユニットとしたことを特徴とする。
【０００６】
請求項２に記載の発明は、請求項１に記載の構成に加え、前記凸面鏡部材は、正面視で横長矩形状であることを特徴とする。
【０００７】
請求項３に記載の発明は、請求項１に記載の構成に加え、前記凸面鏡部材は、正面視で円形状であることを特徴とする。
【０００８】
請求項４に記載の発明は、請求項１乃至３のいずれかに記載の構成に加え、前記防犯ミラーは、前記本体の上方に位置していることを特徴とする。
【０００９】
請求項５に記載の発明は、請求項１乃至４のいずれかに記載の構成に加え、前記本体には、新聞受けが設けられていることを特徴とする。
【００１０】
請求項６に記載の発明は、請求項５に記載の構成に加え、前記本体には、化粧カバーが当該本体から離隔して前記新聞受けを形成する形で設けられている。
【００１１】
請求項７に記載の発明は、請求項１乃至６のいずれかに記載の構成に加え、前記本体には、ペットを一時つなぎ止めるためのリードフックが設けられていることを特徴とする。
【００１２】
請求項８に記載の発明は、請求項１乃至７のいずれかに記載の構成に加え、前記本体には、警報装置が設けられていることを特徴とする。
【発明の効果】
【００１３】
請求項１に記載の発明によれば、来訪者が自分の背後に不審者が居るか否かを防犯ミラーで容易に視認できることから、来訪者および居住者の身の安全を確保するとともに、家財の強奪を防止することが可能となる。
【００１４】
請求項２に記載の発明によれば、上述した効果に加えて、後方を確認する必要性の高い水平方向において広い領域をカバーすることができるため、インターホンユニットの防犯性を一層高めることが可能となる。
【００１５】
請求項３に記載の発明によれば、上述した効果に加えて、水平方向のみならず垂直方向においても広い領域をカバーすることができるため、インターホンユニットの防犯性をますます高めることが可能となる。
【００１６】
請求項４に記載の発明によれば、上述した効果に加えて、来訪者は防犯ミラーによって背後の様子を十分に視認することができる。
【００１７】
請求項５に記載の発明によれば、上述した効果に加えて、新聞紙を新聞受けで受けることができ、便利である。
【００１８】
請求項６に記載の発明によれば、上述した効果に加えて、部品点数を増やすことなく新聞受け機能を付与することができ、経済的である。
【００１９】
請求項７に記載の発明によれば、上述した効果に加えて、居住者がペットをリードフックに一時つなぎ止めることができ、便利である。
【００２０】
請求項８に記載の発明によれば、上述した効果に加えて、警報装置によってインターホンユニットの防犯性をさらに高めることができる。
【発明を実施するための最良の形態】
【００２１】
以下、本発明の実施の形態について説明する。
［発明の実施の形態１］
【００２２】
図１乃至図３には、本発明の実施の形態１を示す。
【００２３】
まず、構成を説明する。
【００２４】
インターホンユニット１は、図１に示すように、所定の幅Ｗ１（例えば、Ｗ１＝１４０ｍｍ）および高さＨ１（例えば、Ｈ１＝８００ｍｍ）の縦長矩形状に形成されたステンレス製の本体２を有している。本体２には、所定の幅Ｗ２（例えば、Ｗ２＝１５０ｍｍ）および高さＨ２（例えば、Ｈ２＝７４５ｍｍ）の縦長矩形状に形成された無色透明のアクリル樹脂製の化粧カバー３が、４個のスペーサー５によって本体２から前方に所定の距離Ｌ１（例えば、Ｌ１＝３５ｍｍ）だけ離隔して新聞受け８を形成する形で、本体２のほぼ全面を覆うように４個の化粧ビス６によって固定されている。化粧カバー３には、その中央部やや上側にインターホンカバー７が取り付けられているとともに、このインターホンカバー７の上方に防犯ミラー９が取り付けられている。なお、インターホンカバー７は、化粧カバー３と一体に設けられていても別体に設けられていてもよい。
【００２５】
この防犯ミラー９は、図２に示すように、互いに所定の距離を置いて設置された２個一対の長方形板状の支持プレート９ａ、９ｂを備えており、これらの支持プレート９ａ、９ｂには、図２（ｂ）、（ｄ）に示すように、所定の曲率半径Ｒ１（例えば、Ｒ１＝１３８ｍｍ）の球面状に形成された凸面鏡部材９ｃが装着されている。この凸面鏡部材９ｃは、図２（ａ）に示すように、正面視で所定の幅Ｗ３（例えば、Ｗ３＝１２５ｍｍ）および高さＨ３（例えば、Ｈ３＝５０ｍｍ）の横長矩形状に形成されている。
【００２６】
また、本体２の下部には、図１に示すように、犬などのペットを一時つなぎ止めるためのリードフック１０が取り付けられている。
【００２７】
次に、作用について説明する。
【００２８】
インターホンユニット１は以上のような構成を有するので、このインターホンユニット１を住宅（戸建て住宅であると集合住宅であるとを問わない。）の玄関脇で使用する際には、図３に示すように、インターホンカバー７の裏側にインターホン１３を組み付けた後、このインターホンユニット１を玄関脇に施工する。そして、この住宅の来訪者は、インターホン１３を利用して居住者に来意を告げる。
【００２９】
このとき、来訪者は、図３に示すように、防犯ミラー９の凸面鏡部材９ｃに自分の背後の様子が写るので、わざわざ後方を振り向かなくても、自分の背後に不審者が居るか否かを容易に視認することができる。したがって、来訪者は、背後から襲われて気絶させられる事態を回避し、身の安全を確保することができる。また、居住者にとっても、住居内への不法侵入を阻止する結果となるので、身の安全を確保し、家財の強奪を防止することが可能となる。
【００３０】
しかも、防犯ミラー９の凸面鏡部材９ｃは、凸面鏡であるがゆえに平面鏡と比べて広角の領域をカバーすることができることに加えて、正面視で横長矩形状であるため、後方を確認する必要性の高い水平方向において広い領域をカバーすることができる。その結果、インターホンユニット１の防犯性を一層高めることが可能となる。
【００３１】
さらに、防犯ミラー９は、インターホンカバー７の上方に位置しているので、来訪者は防犯ミラー９によって背後の様子を十分に視認することができる。すなわち、インターホンユニット１は、通常、インターホンの利用者（来訪者）の利便性を考慮して、インターホンカバー７が来訪者の頭部と同程度の高さに一致するように設置されるため、仮に防犯ミラー９がインターホンカバー７と同じ高さ、或いはインターホンカバー７の下方に位置しているとすると、防犯ミラー９の凸面鏡部材９ｃの一部に来訪者自身が写ることから、来訪者は自分の頭部や胴体が邪魔になって背後の様子の視認が不十分になるという不都合が生じる恐れがある。これに対して、防犯ミラー９がインターホンカバー７の上方に位置していれば、防犯ミラー９の凸面鏡部材９ｃに来訪者自身が写ることはないので、来訪者は自分の背後の様子を十分に視認することができるのである。
【００３２】
また、インターホンユニット１には新聞受け８が形成されているので、図１（ａ）、（ｃ）に想像線で示すように、新聞配達人が配達する新聞紙１２を本体２と化粧カバー３との間に挟み込みつつ化粧ビス６で支えるようにして新聞受け８で受けることができ、便利である。しかも、この新聞受け８は、既存の部品（本体２、化粧カバー３、化粧ビス６）で構成されているので、部品点数を増やすことなくインターホンユニット１に新聞受け機能を付与することができ、経済的である。
【００３３】
さらに、インターホンユニット１にはリードフック１０が設けられているため、居住者は、犬などのペットをリードフック１０に一時つなぎ止めることができ、便利である。
【００３４】
しかも、インターホンユニット１には、本体２のほぼ全面を覆うように化粧カバー３が化粧ビス６で取り付けられているので、このインターホンユニット１は、見栄えがよくて意匠的にも優れる。
［発明の実施の形態２］
【００３５】
図４には、本発明の実施の形態２を示す。
【００３６】
まず、構成を説明する。
【００３７】
インターホンユニット１は、図４に示すように、所定の幅Ｗ４（例えば、Ｗ４＝１５０ｍｍ）および高さＨ４（例えば、Ｈ４＝９００ｍｍ）の縦長矩形状に形成されたステンレス製の本体２を有しており、本体２は、上下に積層配置された５枚のベースプレート４（第１ベースプレート４Ａ、第２ベースプレート４Ｂ、第３ベースプレート４Ｃ、第４ベースプレート４Ｄ、第５ベースプレート４Ｅ）を有している。
【００３８】
ここで、本体２の最上部に位置する第１ベースプレート４Ａには防犯ミラー９が取り付けられており、防犯ミラー９は、図４（ｂ）、（ｃ）に示すように、所定の曲率半径Ｒ２（例えば、Ｒ２＝１２０ｍｍ）の球面状に形成された凸面鏡部材９ｃを備えている。この凸面鏡部材９ｃは、図４（ａ）に示すように、正面視で所定の直径Ｄ１（例えば、Ｄ１＝９３ｍｍ）の円形状に形成されている。
【００３９】
また、第１ベースプレート４Ａの直下に位置する第２ベースプレート４Ｂや、この第２ベースプレート４Ｂの直下に位置する第３ベースプレート４Ｃには、住居番号や客室番号を記した番号プレート（図示せず）を差し替えて取り付けられるようになっている。
【００４０】
また、第３ベースプレート４Ｃの直下に位置する第４ベースプレート４Ｄには、インターホンカバー７が取り付けられている。なお、インターホンカバー７は、第３ベースプレート４Ｃと一体に設けられていても別体に設けられていてもよい。
【００４１】
さらに、本体２の最下部（第４ベースプレート４Ｄの直下）に位置する第５ベースプレート４Ｅには新聞受け８が取り付けられており、新聞受け８は、コの字金具８ａと、このコの字金具８ａの中央部下方に位置する円柱金具８ｂとの組合せで構成されている。
【００４２】
次に、作用について説明する。
【００４３】
インターホンユニット１は以上のような構成を有するので、このインターホンユニット１を住宅（戸建て住宅であると集合住宅であるとを問わない。）の玄関脇で使用する際には、インターホンカバー７の裏側にインターホンを組み付けた後、このインターホンユニット１を玄関脇に施工する。そして、この住宅の来訪者は、前記インターホンを利用して居住者に来意を告げる。
【００４４】
このとき、来訪者は、防犯ミラー９に自分の背後の様子が写るので、わざわざ後方を振り向かなくても、自分の背後に不審者が居るか否かを容易に視認することができる。したがって、来訪者は、背後から襲われて気絶させられる事態を回避し、身の安全を確保することができる。また、居住者にとっても、住居内への不法侵入を阻止する結果となるので、身の安全を確保し、家財の強奪を防止することが可能となる。
【００４５】
しかも、防犯ミラー９の凸面鏡部材９ｃは、凸面鏡であるがゆえに平面鏡と比べて広角の領域をカバーすることができることに加えて、正面視で円形状であるため、水平方向のみならず垂直方向においても広い領域をカバーすることができる。その結果、インターホンユニット１の防犯性をますます高めることが可能となる。
【００４６】
さらに、防犯ミラー９は、インターホンカバー７の上方に位置しているので、上述した実施の形態１と同じ理由により、来訪者は防犯ミラー９によって背後の様子を十分に視認することができる。
【００４７】
また、インターホンユニット１には新聞受け８が形成されているので、図４（ａ）、（ｃ）に想像線で示すように、新聞配達人が配達する新聞紙１２を円柱金具８ｂで支えつつコの字金具８ａで保持するようにして新聞受け８で受けることができ、便利である。
【００４８】
さらに、第２ベースプレート４Ｂまたは第３ベースプレート４Ｃに番号プレートを差し替えて取り付ければ、住居や客室の識別容易性を高めることが可能となる。
［発明の実施の形態３］
【００４９】
図５には、本発明の実施の形態３を示す。
【００５０】
この実施の形態３に係るインターホンユニット１は、図５に示すように、本体２に防犯ブザー１５が内蔵されている点を除き、上述した実施の形態２（図４）と基本的に同様な構成を有している。なお、図５には、インターホンユニット１の全体ではなく第１ベースプレート４Ａのみが図示されている。
【００５１】
すなわち、このインターホンユニット１では、図５に示すように、本体２の最上部に位置する第１ベースプレート４Ａに防犯ミラー９が前後方向（図５（ｂ）の矢印Ｍ、Ｎ方向）に移動自在に取り付けられている。ここで、防犯ミラー９は、球面状に形成された凸面鏡部材９ｃを備えており、凸面鏡部材９ｃには正方形状のフランジ部９ｄが一体に形成されている。そして、この防犯ミラー９は、フランジ部９ｄがスプリングなどの弾性部材（図示せず）によって常に前方（図５（ｂ）の矢印Ｍ方向）に付勢されている。
【００５２】
また、第１ベースプレート４Ａには、図５に示すように、防犯ミラー９の下方に防犯ブザー１５が警報装置として取り付けられているとともに、この防犯ブザー１５を駆動するためのブザー駆動回路１７が装着されている。なお、このブザー駆動回路１７には電池（図示せず）が組み込まれている。さらに、第１ベースプレート４Ａには、ブザー駆動回路１７から防犯ブザー１５への通電をＯＮ／ＯＦＦするためのＯＮ／ＯＦＦスイッチ１６が防犯ブザー１５の近傍に取り付けられている。
【００５３】
したがって、このインターホンユニット１では、上述した実施の形態２と同じ作用効果を奏するのに加えて、ＯＮ／ＯＦＦスイッチ１６をＯＮにしておけば、防犯ブザー１５による警報によってインターホンユニット１の防犯性をさらに高めることができる。
【００５４】
すなわち、来訪者は、防犯ミラー９を介して不審者の存在を確認した場合には、防犯ミラー９を矢印Ｍ方向に押す。すると、ブザー駆動回路１７は、防犯ミラー９が押された旨の信号を受けるので、防犯ブザー１５に通電する。その結果、防犯ブザー１５が鳴り、不審者が居ることを周囲に警報する。したがって、インターホンユニット１の防犯性をさらに高めることが可能となる。
【００５５】
その後、不審者が逃げ去るなどして事態が収拾されたところで、来訪者は、ＯＮ／ＯＦＦスイッチ１６をＯＦＦにする。すると、ブザー駆動回路１７から防犯ブザー１５への通電が停止するので、防犯ブザー１５が鳴りやむ。
［発明のその他の実施の形態］
【００５６】
なお、上述した実施の形態１では、ステンレス製の本体２とアクリル樹脂製の化粧カバー３とを有するインターホンユニット１について説明したが、本体２や化粧カバー３の材質は特に限定されるわけではない。例えば、木製の本体２にガラス製の化粧カバー３を組み合わせることもできる。
【００５７】
さらに、上述した実施の形態１では、新聞受け８、リードフック１０を備えたインターホンユニット１について説明した。しかし、インターホンユニット１が設置される環境や居住者の趣味・嗜好などに応じて、これらの新聞受け８、リードフック１０を省いてもよく、また、これらの新聞受け８、リードフック１０とは別の部品を付加しても構わない。
【００５８】
例えば、本体２を照明するためのＬＥＤ（発光ダイオード）などの照明手段（図示せず）を本体２に付設することにより、夜間の利便性を高めることもできる。また、本体２の上部に庇（図示せず）を取り付けることにより、日光や雨水からインターホンユニット１を保護することも可能である。さらに、本体２に郵便受け（図示せず）を付設することにより、インターホンユニット１で郵便物を受けられるようにしても構わない。
【００５９】
また、上述した実施の形態２では、１個のコの字金具８ａを円柱金具８ｂと組み合わせて新聞受け８を構成したインターホンユニット１について説明したが、複数個（例えば、２個）のコの字金具８ａを上下複数段（例えば、上下２段）に配置して新聞受け８を構成しても構わない。
【００６０】
また、上述した実施の形態３では、防犯ミラー９を押すことにより、防犯ブザー１５を鳴らすインターホンユニット１について説明したが、防犯ブザー１５を鳴らすためには、必ずしも防犯ミラー９を押す必要はない。例えば、防犯ミラー９にタッチ式のスイッチ機構を組み込むことにより、防犯ミラー９に手を触れるだけで防犯ブザー１５を鳴らすように構成することも可能である。この場合、非力な高齢者や子供、女性であっても確実に防犯ブザー１５を鳴らすことができるので、ユーザビリティが向上する。
【００６１】
さらに、上述した実施の形態３では、警報装置として防犯ブザー１５を内蔵したインターホンユニット１について説明したが、防犯ブザー１５以外の警報装置を代用することもできる。
【００６２】
また、上述した実施の形態１〜３では、正面視で横長矩形状または円形状の凸面鏡部材９ｃを備えた防犯ミラー９について説明した。しかし、防犯ミラー９の凸面鏡部材９ｃの正面視形状は、横長矩形状や円形状に限るわけではなく、インターホンユニット１全体の意匠に合わせて様々な形状（例えば、縦長矩形状、正方形状、楕円形状、ハート形状など）を採用することが可能である。
【００６３】
また、上述した実施の形態１〜３では、球面状の凸面鏡部材９ｃを備えた防犯ミラー９について説明したが、非球面状の凸面鏡部材９ｃを備えた防犯ミラー９を代用することもできる。
【００６４】
また、上述した実施の形態１〜３では、防犯ミラー９を１個だけ設けたインターホンユニット１について説明したが、防犯ミラー９の個数は、複数（２個以上）であっても構わない。
【００６５】
また、上述した実施の形態１〜３では、インターホンユニット１を住宅の玄関脇で使用する場合について説明したが、ホテルや旅館の客室の入口で使用することも勿論できる。
【産業上の利用可能性】
【００６６】
本発明は、戸建て住宅、集合住宅などの住宅の玄関脇に限らず、ホテル、旅館の客室の入口その他の場所に設置されるインターホンユニットにも広く適用することができる。
【図面の簡単な説明】
【００６７】
【図１】本発明の実施の形態１に係るインターホンユニットを示す図であって、（ａ）はその正面図、（ｂ）はその平面図、（ｃ）はその右側面図である。
【図２】同実施の形態１に係る防犯ミラーを示す図であって、（ａ）はその正面図、（ｂ）はその平面図、（ｃ）はその背面図、（ｄ）は（ａ）のＤ−Ｄ線による断面図である。
【図３】同実施の形態１に係るインターホンユニットの使用状態図である。
【図４】本発明の実施の形態２に係るインターホンユニットを示す図であって、（ａ）はその正面図、（ｂ）はその平面図、（ｃ）はその右側面図である。
【図５】本発明の実施の形態３に係るインターホンユニットの要部を示す図であって、（ａ）はその正面図、（ｂ）はその右側面図である。
【符号の説明】
【００６８】
１……インターホンユニット
２……本体
３……化粧カバー
４……ベースプレート
５……スペーサー
６……化粧ビス
７……インターホンカバー
８……新聞受け
８ａ……コの字金具
８ｂ……円柱金具
９……防犯ミラー
９ａ、９ｂ……支持プレート
９ｃ……凸面鏡部材
９ｄ……フランジ部
１０……リードフック
１２……新聞紙
１３……インターホン
１５……防犯ブザー（警報装置）
１６……ＯＮ／ＯＦＦスイッチ
１７……ブザー駆動回路
【図１】
2010062786.tif 000003
【図２】
2010062786.tif 000004
【図３】
2010062786.tif 000005
【図４】
2010062786.tif 000006
【図５】
2010062786.tif 000007